(57)【要約】【課題】機器の電源を効率的に制御することができる電力制御システム、電力制御方法、情報処理装置、および電力制御プログラムを提供する。【解決手段】本発明に係る電力制御システムは、電子機器と情報処理装置と電源制御装置とを含む電力制御システムである。情報処理装置は、電子機器に設けられた検知器の出力信号と電子機器の識別情報とを対応付けた第１の対応情報を取得する。情報処理装置は、電子機器の識別情報ごとに、機器に電力を供給する電源制御装置の電力供給部を識別する識別情報を対応付けた第２の対応情報を記憶する。情報処理装置は、第１の対応情報と第２の対応情報とに基づいて、電力供給部から機器に対して電力を供給するか否かを判定し、判定結果に応じて電源制御装置に対して電力供給部による機器に対する電力供給又は電力供給の遮断を指示する。電源制御装置は、指示に応じて電力供給部による機器に対する電力供給及び電力供給の遮断を制御する。【選択図】図３
2016115273.tif 000002
【特許請求の範囲】
【請求項１】
電子機器と、情報処理装置と、電源制御装置とを含む電力制御システムであって、
前記電子機器は、
検知器の出力信号を検出する検出部と、
前記検出部で検出した出力信号と前記電子機器の識別情報とを対応付けた第１の対応情報を送信する信号送信部と、を備え、
前記情報処理装置は、
前記第１の対応情報を受信する通信部と、
前記電子機器の識別情報ごとに、機器に電力を供給する前記電源制御装置の電力供給部を識別する識別情報を対応付けた第２の対応情報を記憶する対応情報記憶部と、
前記第１の対応情報と前記第２の対応情報とに基づいて、前記電力供給部から前記機器に対して電力を供給するか否かを判定する判定部と、
前記判定部の判定結果に応じて、前記電源制御装置に対して前記電力供給部による前記機器に対する電力供給又は電力供給の遮断を指示する指示部と、を備え、
前記電源制御装置は、
前記指示部による指示に応じて、前記電力供給部による前記機器に対する電力供給及び電力供給の遮断を制御する電源制御部を備える、
ことを特徴とする電力制御システム。
【請求項２】
前記判定部は、前記検出部で検出した出力信号が予め設定された閾値以下であると判断した場合に、前記電力供給部による前記機器に対する電力供給を遮断すると判定し、前記検出部で検出した出力信号が前記閾値を超えると判断した場合に、前記電力供給部による前記機器に対する電力供給を行うと判定する、
ことを特徴とする請求項１に記載の電力制御システム。
【請求項３】
前記判定部は、前記検出部で検出した出力信号が予め設定された閾値以下になった時間が予め設定された時間以上であると判断した場合に、前記電力供給部による前記機器に対する電力供給を遮断すると判定し、前記検出部で検出した出力信号が前記閾値を超えた時間が予め設定された時間以上であると判断した場合に、前記電力供給部による前記機器に対する電力供給を行うと判定する、
ことを特徴とする請求項２に記載の電力制御システム。
【請求項４】
前記第２の対応情報を変更する対応情報変更部を、さらに備える、
ことを特徴とする請求項１に記載の電力制御システム。
【請求項５】
前記電子機器は、前記検出部検出した出力信号が予め設定された閾値以下になった時間が予め設定された時間以上であるか否かを判断する判断部を、さらに備え、
前記信号送信部は、前記判断部で前記検出部で検出した出力信号が前記閾値以下になった時間が予め設定された時間以上であると判断した場合に、前記検出部で検出した出力信号と前記電子機器の識別情報とを対応付けた第１の対応情報を送信する、
ことを特徴とする請求項１に記載の電力制御システム。
【請求項６】
前記電力制御システムは、他の情報処理装置と他の電源制御装置と、をさらに備え、
前記判定部は、判定した判定結果と前記第２の対応情報とを前記他の情報処理装置に対して送信し、
前記他の情報処理装置は、前記判定結果と前記第２の対応情報とを受け付けて、前記情報処理装置の前記判定結果と、前記第２の対応情報に含まれる前記電子機器の識別情報とに基づいて、機器に電力を供給する前記他の電源制御装置に対して電力供給部による前記機器に対する電力供給又は電力供給の遮断を指示する、
ことを特徴とする請求項１に記載の電力制御システム。
【請求項７】
電子機器と、情報処理装置と、電源制御装置とを含む電力制御システムの電源制御方法であって、
前記電子機器に設けられた検知器の出力信号を検出する検出ステップと、
前記検出ステップで検出した出力信号と前記電子機器の識別情報とを対応付けた第１の対応情報を送信する信号送信ステップと、
前記第１の対応情報を受信する通信ステップと、
前記電子機器の識別情報ごとに、機器に電力を供給する前記電源制御装置の電力供給部を識別する識別情報を対応付けた第２の対応情報を記憶する対応情報記憶ステップと、
前記第１の対応情報と前記第２の対応情報とに基づいて、前記電力供給部から前記機器に対して電力を供給するか否かを判定する判定ステップと、
前記判定ステップの判定結果に応じて、前記電源制御装置に対して前記電力供給部による前記機器に対する電力供給又は電力供給の遮断を指示する指示ステップと、
前記指示ステップによる指示に応じて、前記電力供給部による前記機器に対する電力供給及び電力供給の遮断を制御する電源制御ステップと、を含む、
ことを特徴とする電力制御方法。
【請求項８】
電子機器に設けられた検知器の出力信号と前記電子機器の識別情報とを対応付けた第１の対応情報を取得する取得部と、
前記電子機器の識別情報ごとに、機器に電力を供給する電源制御装置の電力供給部を識別する識別情報を対応付けた第２の対応情報を記憶する対応情報記憶部と、
前記第１の対応情報と前記第２の対応情報とに基づいて、前記電力供給部から前記機器に対して電力を供給するか否かを判定する判定部と、
前記判定部の判定結果に応じて、前記電源制御装置に対して前記電力供給部による前記機器に対する電力供給又は電力供給の遮断を指示する指示部と、を備える、
ことを特徴とする情報処理装置。
【請求項９】
情報処理装置に、
電子機器に設けられた検知器の出力信号と前記電子機器の識別情報とを対応付けた第１の対応情報を取得する取得ステップと、
前記電子機器の識別情報ごとに、機器に電力を供給する電源制御装置の電力供給部を識別する識別情報を対応付けた第２の対応情報を記憶する対応情報記憶ステップと、
前記第１の対応情報と前記第２の対応情報とに基づいて、前記電力供給部から前記機器に対して電力を供給するか否かを判定する判定ステップと、
前記判定ステップの判定結果に応じて、前記電源制御装置に対して前記電力供給部による前記機器に対する電力供給又は電力供給の遮断を指示する指示ステップと、
を実行させるための電力制御プログラム。
【発明の詳細な説明】
【技術分野】
【０００１】
本発明は、電力制御システム、電力制御方法、情報処理装置、および電力制御プログラムに関する。
【背景技術】
【０００２】
従来、電力管理のためにインテリジェントタップやスマートタップなどと称される、電力線によりタップに接続された電気機器への電力の供給を制御することが可能な管理装置が知られている。このような管理装置では、例えば、供給が不要な電気機器への電力の供給を選択的に停止させるなどの制御を行うことができる。
【０００３】
特許文献１には、インターネットに接続する端末を介して各種の電気器具の電源を遠隔操作することができる電気器具の遠隔制御システムが開示されている。特許文献１に記載の遠隔制御システムは、電気器具の電源を遠隔操作する操作ボタンを子機単位に端末の画面上に表示することにより、制御対象の各電気器具の給電状態を画面上に更新表示させることができるものである。
【発明の概要】
【発明が解決しようとする課題】
【０００４】
しかしながら、特許文献１に記載の遠隔制御システムでは、タップの電源を制御するにはユーザの操作が必要であり自動制御ではないため効率的に制御することができない、という問題がある。
【０００５】
本発明は、上記に鑑みてなされたものであって、機器の電源を効率的に制御することができる電力制御システム、電力制御方法、情報処理装置、および電力制御プログラムを提供することを目的とする。
【課題を解決するための手段】
【０００６】
上述した課題を解決し、目的を達成するために、本発明に係る電力制御システムは、電子機器と、情報処理装置と、電源制御装置とを含む電力制御システムであって、前記電子機器は、検知器の出力信号を検出する検出部と、前記検出部で検出した出力信号と前記電子機器の識別情報とを対応付けた第１の対応情報を送信する信号送信部と、を備え、前記情報処理装置は、前記第１の対応情報を受信する通信部と、前記電子機器の識別情報ごとに、機器に電力を供給する前記電源制御装置の電力供給部を識別する識別情報を対応付けた第２の対応情報を記憶する対応情報記憶部と、前記第１の対応情報と前記第２の対応情報とに基づいて、前記電力供給部から前記機器に対して電力を供給するか否かを判定する判定部と、前記判定部の判定結果に応じて、前記電源制御装置に対して前記電力供給部による前記機器に対する電力供給又は電力供給の遮断を指示する指示部と、を備え、前記電源制御装置は、前記指示部による指示に応じて、前記電力供給部による前記機器に対する電力供給及び電力供給の遮断を制御する電源制御部を備える、ことを特徴とする。
【発明の効果】
【０００７】
本発明によれば、機器の電源を効率的に制御することができる、という有利な効果を奏する。
【図面の簡単な説明】
【０００８】
【図１】図１は、第１の実施形態に係る電力制御システムのハードウェア構成の一例を示す図である。
【図２】図２は、第１の実施形態に係る画像処理装置のソフトウェア構成の一例を示す図である。
【図３】図３は、第１の実施形態に係る電力制御システムのシステム構成の一例を示す図である。
【図４】図４は、第１の実施形態に係る画像処理装置、電源制御装置及び電子機器の機能構成の一例を示すブロック図である。
【図５】図５は、複数のタップの電源の投入又は電源の遮断の状態を表す表示画面の一例を示す図である。
【図６】図６は、第１の対応情報の一例を示す図である。
【図７】図７は、瞬時での消費電力状況の表示画面の一例を示す図である。
【図８】図８は、第２の対応情報の一例を示す図である。
【図９】図９は、判定部での判定結果を説明する図である。
【図１０】図１０は、電力管理アプリが搭載された画像処理装置の処理動作の一例を示すフローチャート図である。
【図１１】図１１は、電力制御システムの処理動作の一例について説明するシーケンス図である。
【図１２】図１２は、電力制御システムの他の処理動作の一例について説明するシーケンス図である。
【図１３】図１３は、第２の実施形態に係る電力制御システムのシステム構成の一例を示す図である。
【図１４】図１４は、第２の実施形態に係る画像処理装置、電源制御装置及び電子機器の機能構成の一例を示すブロック図である。
【図１５】図１５は、電力制御システムの処理動作の一例について説明するシーケンス図である。
【発明を実施するための形態】
【０００９】
以下、添付図面を参照しながら、本発明に係る電力制御システム、電力制御方法、情報処理装置、および電力制御プログラムの実施形態を詳細に説明する。なお、以下の実施形態により本発明が限定されるものではない。また、各実施形態は、内容を矛盾させない範囲で、適宜組み合わせることができる。また、以下では、本発明に係る情報処理装置を、複合機（ＭＦＰ：Ｍｕｌｔｉｆｕｎｃｔｉｏｎ  Ｐｅｒｉｐｈｅｒａｌ）に適用した場合を例に挙げて説明するが、これに限定されるものではない。なお、複合機とは、プリンタ機能、スキャナ機能、スキャナ機能、及びファクシミリ機能のうち少なくとも２つの機能を有する装置である。
【００１０】
（第１の実施形態）
まず、図１を用いて、電力制御システムのハードウェア構成について説明する。図１は、本実施形態の電力制御システムのハードウェア構成の一例を示すブロック図である。
【００１１】
図１に示すように、電力制御システム１００は、画像処理装置１、電源制御装置、電子機器および機器等を有する。画像処理装置１は、ＬＡＮ（Ｌｏｃａｌ  Ａｒｅａ  Ｎｅｔｗｏｒｋ）やインターネット等のネットワーク８０を経由して電源制御装置や電子機器と接続されている。図１では、電源制御装置、電子機器等と接続される画像処理装置１の台数が１台である場合を例示しているが、これに限らず、画像処理装置１の台数は任意である。
【００１２】
画像処理装置１は、プリンタ機能、コピー機能、スキャナ機能、ファクシミリ機能等の各種の機能を実現可能な本体１０と、ユーザ操作に応じた入力を受け付ける操作部２０とを有する。本体１０と操作部２０とは、専用の通信路３００を介して相互に通信可能に接続されている。通信路３００は、例えば、ＵＳＢ（Ｕｎｉｖｅｒｓａｌ  Ｓｅｒｉａｌ  Ｂｕｓ）規格を用いることができるが、有線又は無線を問わず任意の規格であってもよい。
【００１３】
本体１０は、操作部２０によって受け付けられた入力に応じた動作を行なう。また、本体１０は、任意の外部装置と通信可能であり、外部装置から受信される指示に応じた動作を行なうこともできる。
【００１４】
また、本体１０は、システムバス１８に接続された、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、ＨＤＤ（Ｈａｒｄ  Ｄｉｓｋ  Ｄｒｉｖｅ）１４と、通信Ｉ／Ｆ（Ｉｎｔｅｒｆａｃｅ）１５と、接続Ｉ／Ｆ１６と、エンジン部１７とを有する。
【００１５】
ＣＰＵ１１は、本体１０の動作を統括的に制御する。ＣＰＵ１１は、ＲＡＭ１３をワークエリア（作業領域）として、ＲＯＭ１２又はＨＤＤ１４等に格納されたプログラムを実行することで、本体１０全体の動作を制御する。また、ＣＰＵ１１は、上述したプリンタ機能、コピー機能、スキャナ機能、ファクシミリ機能等の各種機能を実現する。
【００１６】
ＲＯＭ１２は、画像処理装置１が起動されるときに実行されるプログラムや各種データを格納している。ＲＡＭ１３は、ＲＯＭ１２やＨＤＤ１４から読み出された各種プログラムやデータを一時保持する。
【００１７】
また、コントローラは、ＣＰＵ１１、ＲＯＭ１２及びＲＡＭ１３で構成され、例えば、データ通信Ｉ／Ｆを介して印刷データを受信した場合に、ＲＯＭ１２からＲＡＭ１３上に読み出された、ＰＤＬ（Ｐａｇｅ  Ｄｅｓｃｒｉｐｔｉｏｎ  Ｌａｎｇｕａｇｅ）を解釈可能なプログラム（ＰＤＬパーサ）をＣＰＵ１１により実行し、印刷データを解釈してビットマップイメージを生成する。
【００１８】
ＨＤＤ１４は、画像処理装置１で取り扱われる受信文書データや読み取り画像データ、各アプリケーションにより利用されるデータなど、各種データを格納している。また、ＨＤＤ１４は、これらの各種データを、所定のファイルシステムやＤＢ（Ｄａｔａ  Ｂａｓｅ）により管理している。ＨＤＤ１４に格納される各種データの中には、記録媒体から入力されるデータを含む。記録媒体は、記憶メディアＩ／Ｆが有するドライブ装置にセットされ各種データが記録媒体からドライブ装置を介してＨＤＤ１４に格納される。
【００１９】
通信Ｉ／Ｆ１５は、外部装置と通信するためのインタフェースである。通信Ｉ／Ｆ１５は、画像処理装置１をネットワークやファクスなどのデータ伝送路に接続するインタフェースである。接続Ｉ／Ｆ１６は、通信路３００を介して、操作部２０と通信するためのインタフェースである。
【００２０】
エンジン部１７は、プリンタ機能、コピー機能、スキャナ機能、ファクシミリ機能等を実現させるための、汎用的な情報処理及び通信以外の処理を実行するハードウェアである。例えば、エンジン部１７は、原稿をスキャンして読み取るスキャナ、用紙等のシート材への印刷を行なうプロッタ、ファクス通信を行なうファクス部等を有する。スキャナは、画像読取装置を有しており、読取り面に配置された原稿を光学的に読取り画像データを生成する。プロッタは、印刷装置を有しており、例えば、電子写真プロセス方式によってビットマップイメージを記録紙に印刷する。さらに、エンジン部１７は、印刷済みシート材を仕分けるフィニッシャや、原稿を自動給送するＡＤＦ（自動原稿給送装置）のような特定のオプションを備えることもできる。
【００２１】
操作部２０は、システムバス２８に接続された、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７とを有する。
【００２２】
ＣＰＵ２１は、操作部２０の動作を統括的に制御する。ＣＰＵ２１は、ＲＡＭ２３をワークエリア（作業領域）として、ＲＯＭ２２又はフラッシュメモリ２４等に格納されたプログラムを実行することで、操作部２０全体の動作を制御する。また、ＣＰＵ２１は、ユーザ操作により受け付けられた入力に応じた情報（画像）を表示する等、各種機能を実現する。
【００２３】
通信Ｉ／Ｆ２５は、ネットワーク８０を介して電源制御装置、電子機器および機器等と通信するためのインタフェースである。通信Ｉ／Ｆ２５は、画像処理装置１をネットワークやファクスなどのデータ伝送路に接続するインタフェースである。接続Ｉ／Ｆ２６は、通信路３００を介して本体１０と通信するためのインタフェースである。
【００２４】
操作パネル２７は、ユーザ操作に応じた各種の入力を受け付けるとともに、各種の情報を表示する。例えば、各種の情報は、受け付けられた入力に応じた情報、画像処理装置１の動作状況を示す情報、設定状態を示す情報等が挙げられる。本実施形態において、操作パネル２７は、タッチパネル機能を搭載した液晶表示装置（ＬＣＤ：Ｌｉｑｕｉｄ  Ｃｒｙｓｔａｌ  Ｄｉｓｐｌａｙ）により構成されるものとするが、これに限られるものではない。例えば、操作パネル２７は、タッチパネル機能が搭載された有機ＥＬ（Ｅｌｅｃｔｒｏ  Ｌｕｍｉｎｅｓｃｅｎｃｅ）表示装置により構成されてもよい。さらに、これに加えて又はこれに代えて、ハードウェアキー等の操作部やランプ等の表示部を設けることもできる。
【００２５】
次に、図２を用いて、画像処理装置１のソフトウェア構成について説明する。図２は、画像処理装置のソフトウェア構成の一例を示す図である。
【００２６】
図２に示すように、本体１０は、アプリ層１０１と、サービス層１０２と、ＯＳ（Ｏｐｅｒａｔｉｎｇ  Ｓｙｓｔｅｍ）層１０３とを有する。アプリ層１０１、サービス層１０２及びＯＳ層１０３の実体は、ＲＯＭ１２やＨＤＤ１４等に格納されている各種ソフトウェアである。ＣＰＵ１１が、これらのソフトウェアを実行することにより、各種機能が提供される。
【００２７】
アプリ層１０１のソフトウェアは、ハードウェア資源を動作させて所定の機能を提供するためのアプリケーションソフトウェア（以下、「アプリ」と呼ぶ場合がある）である。例えば、アプリとしては、コピー機能を提供するためのコピーアプリ、スキャナ機能を提供するためのスキャナアプリ、ファクス機能を提供するためのファクスアプリ、プリンタ機能を提供するためのプリンタアプリ等が挙げられる。
【００２８】
サービス層１０２のソフトウェアは、アプリ層１０１とＯＳ層１０３との間に介在し、アプリに対し、本体１０が備えるハードウェア資源を利用するためのインタフェースを提供するためのソフトウェアである。より具体的には、かかるソフトウェアは、ハードウェア資源に対する動作要求の受け付けや、動作要求の調停を行なう機能を提供するためのソフトウェアである。サービス層１０２によって受け付けられる動作要求としては、スキャナによる読み取りやプロッタによる印刷等の要求が挙げられる。
【００２９】
サービス層１０２によるインタフェースの機能は、本体１０のアプリ層１０１だけではなく、操作部２０のアプリ層２０１に対しても提供される。すなわち、操作部２０のアプリ層２０１も、サービス層１０２のインタフェース機能を介して、本体１０のハードウェア資源（例えば、エンジン部１７等）を利用した機能を実現することができる。
【００３０】
ＯＳ層１０３のソフトウェアは、本体１０が備えるハードウェアを制御する基本機能を提供するための基本ソフトウェア（オペレーティングシステム）である。サービス層１０２のソフトウェアは、各種アプリからのハードウェア資源の利用要求を、ＯＳ層１０３が解釈可能なコマンドに変換してＯＳ層１０３に渡す。そして、ＯＳ層１０３のソフトウェアによりコマンドが実行されることで、ハードウェア資源は、アプリの要求に従った動作を行なう。
【００３１】
操作部２０は、アプリ層２０１と、サービス層２０２と、ＯＳ層２０３とを有する。操作部２０が備えるアプリ層２０１、サービス層２０２及びＯＳ層２０３の階層構造については、本体１０側と同様である。但し、アプリ層２０１のアプリにより提供される機能や、サービス層２０２が受け付け可能な動作要求の種類は、本体１０側とは異なる。アプリ層２０１のアプリは、操作部２０が備えるハードウェア資源を動作させて所定の機能を提供するためのソフトウェアである。アプリ層２０１のアプリには、本体１０が備える機能（プリンタ機能、コピー機能、スキャナ機能、ファクシミリ機能）に関する操作や表示を行なうためのＵＩ（Ｕｓｅｒ  Ｉｎｔｅｒｆａｃｅ）の機能を提供するためのソフトウェアや、電源制御装置を介して各機器の電源を制御する機能を提供するためのソフトウェア（以下の説明では、「電力管理アプリ」と称する場合がある）などが含まれる。
【００３２】
本実施形態では、機能の独立性を保つために、本体１０側のＯＳ層１０３のソフトウェアと、操作部２０側のＯＳ層２０３のソフトウェアとが互いに異なる場合を例に挙げる。つまり、本体１０と操作部２０とは、異なるオペレーティングシステムで互いに独立して動作する。例えば、本体１０側のＯＳ層１０３のソフトウェアとしてはＬｉｎｕｘ（登録商標）を採用し、操作部２０側のＯＳ層２０３のソフトウェアとしてはＡｎｄｒｏｉｄ（登録商標）を採用することが可能である。
【００３３】
上述したように、本実施形態に係る画像処理装置１において、本体１０と操作部２０とは、異なるオペレーティングシステムで動作するため、本体１０と操作部２０との間の通信は、共通の装置内のプロセス間通信ではなく、異なる装置間の通信として行なわれる。例えば、操作部２０によって受け付けられた入力（ユーザ操作による指示内容）を本体１０に伝達する動作（コマンド通信）や、本体１０が操作部２０にイベントを通知する動作等は、異なる装置間の通信として行なわれる。これにより、操作部２０は、本体１０にコマンド通信を行なうことにより、本体１０の機能を利用することができる。なお、本体１０から操作部２０に通知されるイベントには、本体１０における動作の実行状況や、本体１０側で設定された内容等が挙げられる。
【００３４】
また、本実施形態では、操作部２０に対する電力供給は、通信路３００を経由し、本体１０から行なわれる。このため、操作部２０の電源制御は、本体１０の電源制御とは別に（独立して）行なうことができる。
【００３５】
次に、図３を用いて、電力制御システム１００のシステム構成について説明する。図３は、電力制御システムのシステム構成の一例を示す図である。
【００３６】
図３に示すように、電力制御システム１００は、画像処理装置１と、電源制御装置３０と、電子機器４０と、通信親機５０と、電気機器７０ａ〜電気機器７０ｄとを有する。以下の説明では、電気機器７０ａ〜電気機器７０ｄを区別する必要が無い場合は、単に「機器７０」と表記する。また、電源制御装置３０は、通信子機６０とタップ３３０とを備える。以下では、「タップ」を「電力供給部」とも表記する。
【００３７】
図３の例では、画像処理装置１は、ＬＡＮ等のネットワーク８０を介して、電子機器４０、通信親機５０、電源制御装置３０および機器７０の各々と接続される。また、通信親機５０は親機であり、電源制御装置３０が備える子機である通信子機６０と通信する。通信親機５０は、複数の電源制御装置３０の通信子機６０と通信することができる。
【００３８】
また、上述したように、画像処理装置１は、電力管理アプリを搭載したＭＦＰであり、該電力管理アプリの実行により、電源制御装置３０を介して、各機器７０の電源を制御する。電子機器４０は、検知器（センサ）を搭載した、例えば、画像処理装置などで構成され得る。以下では、「検知器」を「センサ」とも表記する。なお、「センサ」は請求項の「検知器」に対応する。
【００３９】
通信親機５０及び通信子機６０は、画像処理装置１と電源制御装置３０との間の通信や、電子機器４０と電源制御装置３０との間の通信を実現するためのものである。
【００４０】
電源制御装置３０は、画像処理装置１の制御の下、各機器７０に電力を供給する電力供給部（タップ）３３０による各機器７０に対する電力供給及び電力供給の遮断を制御する。また、電源制御装置３０は、各機器７０の電源の投入及び電源の遮断を制御する。詳細な図示は省略するが、電源制御装置３０は、機器７０に電力を供給するための電力供給部（タップ）３３０を含んで構成される。タップ３３０は、不図示の電源ラインに接続され、それぞれに機器７０が接続される複数のコンセント（差し込み口）を有している。また、本実施形態における電源制御装置３０は、タップ３３０が有するコンセントに接続された機器７０の消費電力を監視する機能も有する。機器７０は、電源制御装置３０から電力の供給を受けて動作する。なお、電力制御システム１００に含まれる機器７０の数は任意である。
【００４１】
なお、図３では、画像処理装置１、電源制御装置３０、電子機器４０及び通信親機５０の台数が１台である場合を例示しているが、これに限らず、画像処理装置１、電源制御装置３０、電子機器４０及通信親機５０の台数は任意である。
【００４２】
本実施形態の電力制御システム１００は、電子機器４０に設けられた検知器（例えば、照度センサなど）の出力信号から電子機器４０が設置されている場所が、例えば、暗くなったことを判断する。すなわち、電子機器４０を利用するユーザが居ないと判断する。そして、電力制御システム１００は、電子機器４０に対応付けられた電源制御装置３０のタップ３３０のコンセントに接続されている機器７０に対する電力供給の遮断を実行する。すなわち、電子機器４０に対応付けられた電源制御装置３０のタップ３３０が、例えば、電子機器４０の周囲に設置されていた場合、電子機器４０を利用するユーザが居ないと判断し、電子機器４０の周囲にあるタップ３３０のコンセントに接続されている機器７０に対する電力供給の遮断を実行する。これにより、タップ３３０に対する電力の供給を自動制御することができるため、タップ３３０に接続された機器７０の電源を効率的に制御することができる。
【００４３】
次に、図４を用いて、本実施形態の画像処理装置１、電源制御装置３０及び電子機器４０の機能について説明する。図４は、画像処理装置、電源制御装置及び電子機器の機能構成の一例を示すブロック図である。なお、電子機器４０が有するセンサ部４２０は請求項の「検知器」に対応し、以下では、「センサ部」を「センサ」とも表記する。
【００４４】
まず、画像処理装置１の機能構成について説明する。図４に示すように、操作部２０は、通信部２１０と、操作表示部２２０と、取得部２３０と、対応情報記憶部２４０と、判定部２５０と、指示部２６０と、対応情報変更部２７０と、記憶部２８０とを有する。上記各部については、これらの一部がソフトウェア（プログラム）であってもよいし、これらの一部又は全部がハードウェア回路であってもよい。また、上記各部のうちの一部が本体１０側に搭載される形態であってもよい。
【００４５】
通信部２１０は、電源制御装置３０と通信し、各機器７０に電力を供給する電源制御装置３０の電力供給部３３０による各機器７０に対する電力供給及び電力供給の遮断を制御するための情報（センサ４２０の出力信号）や各機器７０の電源を制御するための情報、通電状況、各機器７０の消費電力量の情報等を送受信する。また、通信部２１０は、電子機器４０と通信し、電子機器４０が備えるセンサ４２０の出力信号と、電子機器４０の識別情報とを対応付けた第１の対応情報を受信する。また、通信部２１０は、機器７０と通信する機能も有する。
【００４６】
操作表示部２２０は、各種情報を表示し、ユーザ操作の入力を受け付ける。例えば、操作表示部２２０は、電源制御装置３０の電力供給部３３０や各機器７０の電源を制御するための画像や、各機器７０の電力消費量を含む画像等の表示を行う。また、操作表示部２２０は、各機器７０に対する電源の投入又は電源の遮断に関するユーザ操作や、各機器７０の消費電力量を取得するためのユーザ操作等の入力を受け付ける。本実施形態では、操作表示部２２０は、「受付部」および「表示部」の各々の機能を兼ね備えているが、これに限らず、ユーザ操作の入力を受け付ける機能（「受付部」に対応）と、各種情報を表示する機能（「表示部」に対応）とが個別に設けられてもよい。
【００４７】
ここで、図５を用いて、操作表示部２２０の表示画面について説明する。図５は、複数のタップの電源の投入又は電源の遮断の状態を表す表示画面の一例を示す図である。ここでは、１つの電源制御装置３０が、複数のタップ３３０を有する場合を例に挙げて説明するが、これに限らず、例えば、それぞれが１つのタップ３３０を有する複数の電源制御装置３０が設けられる形態であってもよい。また、１つのタップ３３０が複数のコンセントを有する場合を例に挙げて説明するが、これに限らず、例えば１つのタップ３３０が１つのコンセントを有する形態であってもよい。図５の例では、電源制御装置３０は、「タップＡ０１」、「タップＡ０２」、「タップＡ０３」、「タップＡ０４」、「タップＡ０５」で識別される５つのタップ３３０を有している。また、各タップ３３０は、「コンセント♯１」、「コンセント♯２」、「コンセント♯３」、「コンセント♯４」で識別される４つのコンセントを有している。図５の例では、タップ３３０とコンセントとの組み合わせは、その組み合わせに含まれるコンセントに接続される機器７０を特定する情報でもある。
【００４８】
図５に示すように、操作表示部２２０の表示画面では、タップ３３０とコンセントとの組み合わせごとに、対応する機器７０の通電状況が表示される。図５の例では、「タップＡ０１」と「コンセント＃１」との組み合わせに対応する機器７０、つまり、「タップＡ０１」が有する「コンセント♯１」に接続された機器７０は「通電中（オン）」であり、「タップＡ０３」と「コンセント＃１」との組み合わせに対応する機器７０、つまり、「タップＡ０３」が有する「コンセント♯１」に接続された機器７０は「遮断中（オフ）」であることを示す。また、表示画面では、「最新取得」ボタンが配置されている。「最新取得」ボタンは、最新の通電状況に更新するために押下されるボタンである。「最新取得」ボタンがユーザ操作により押下された場合には、後述する取得部２３０によって電源制御装置３０の通電状況が取得され、取得された通電状況が表示されることになる。
【００４９】
また、図５に示す表示画面では、例えば各機器７０に対する電源の投入又は電源の遮断に関するユーザ操作を受け付けることもできる。例えばユーザが、「通電中（オン）」と表示された画像を押下した場合、操作表示部２２０は、対応する機器７０に対する電源の遮断を指示する入力を受け付ける。つまり、操作表示部２２０は、機器７０の電源を遮断するユーザ操作を受け付ける。一方、例えばユーザが、「遮断中（オフ）」と表示された画像を押下した場合、操作表示部２２０は、対応する機器７０に対する電源の投入を指示する入力を受け付ける。つまり、操作表示部２２０は、機器７０の電源を投入するユーザ操作を受け付ける。
【００５０】
図４に戻って説明を続ける。取得部２３０は、通信部２１０を介して、後述する電子機器４０から電子機器４０に設けられたセンサ４２０の出力信号と、電子機器４０の識別情報とを対応付けた第１の対応情報を取得する。取得部２３０は、予め設定された間隔で電子機器４０から電子機器４０に設けられたセンサ４２０の出力信号と、電子機器４０の識別情報とを対応付けた第１の対応情報を取得する。なお、予め設定された間隔は任意に設定できる。なお、取得部２３０は、後述する電子機器４０の検出部４３０で検出したセンサ４２０の出力信号と、電子機器４０の識別情報とを対応付けた第１の対応情報を取得する。
【００５１】
以下では、「電子機器の識別情報」を「電子機器ＩＤ」とも表記する。取得部２３０は、取得した第１の対応情報を記憶部２８０に受け渡して記憶させる。なお、電子機器４０に設けられるセンサ４２０は、１つに限らず複数であってもよい。
【００５２】
以下では、電子機器４０が備えるセンサ４２０として、例えば「照度センサ」を一例に挙げて説明するが、これに限ることはなく、本実施形態では、人間が居なくなったことを検知するセンサ４２０として、例えば、焦電センサや超音波センサ等の人間の所在を検知するための人感センサ（人体検知センサ）など任意のセンサ４２０を適用することができる。また、出力信号として、例えば、電気信号（アナログ信号やデジタル信号）、電流、電圧などを例示できるが、本実施形態では、これらを変換した、例えば、照度「ｌｕｘ」を出力信号（検出値）の一例として説明する。なお、電流、電圧等を「ｌｕｘ」に変換する方法は任意である。
【００５３】
また、電子機器４０の識別情報としては、ＩＰアドレス、ＭＡＣアドレス、機種、機番、機器種類、電子機器ＩＤなどを例示することができるが、電子機器４０を特定できる情報であれば任意である。
【００５４】
ここで、図６を用いて第１の対応情報について説明する。図６は、第１の対応情報の一例を示す図である。図６の例では、電子機器ＩＤ「０００１」に対応付いたセンサ４２０の出力信号は「１３」（ｌｕｘ）であり、電子機器ＩＤ「０００２」に対応付いたセンサ４２０の出力信号は「４００」（ｌｕｘ）であり、電子機器ＩＤ「０００３」に対応付いたセンサ４２０の出力信号は「０」（ｌｕｘ）であり、電子機器ＩＤ「０００４」に対応付いたセンサ４２０の出力信号は「３０」（ｌｕｘ）であり、電子機器ＩＤ「０００５」に対応付いたセンサ４２０の出力信号は「１０００」（ｌｕｘ）であることを示している。なお、上記の出力信号「ｌｕｘ」は一例であり、電流や電圧であってもよい。
【００５５】
また、取得部２３０は、取得した出力信号及び電子機器４０の識別情報を対応付けた第１の対応情報を後述する対応情報記憶部２４０、判定部２５０に受け渡す。
【００５６】
また、取得部２３０は、通信部２１０を介して、例えば機器７０の消費電力の情報を取得することができる。より具体的には、取得部２３０は、通信部２１０を介して、各機器７０の消費電力量を電源制御装置３０から取得する。また、取得部２３０は、電源制御装置３０の電源の通電状況を取得する。消費電力量の取得は、例えば定期的に実行してもよいし、操作表示部２２０において消費電力量を取得するためのユーザ操作が行なわれた場合に実行してもよい。なお、取得された消費電力量は、メモリに蓄積されたり、操作表示部２２０に表示するための情報として利用されたりする。
【００５７】
ここで、図７を用いて、表示画面の一例について説明する。図７は、瞬時での消費電力状況の表示画面の一例を示す図である。図７の例では、「タップＡ０１」が有する「コンセント＃１」に接続された機器７０の消費電力は「１００Ｗ」であり、「タップＡ０１」が有する「コンセント＃２」に接続された機器７０の消費電力は「２０Ｗ」であることを示す。また、「タップＡ０３」が有する「コンセント＃１」及び「タップＡ０５」が有する「コンセント♯１」は、電源が遮断されている、もしくは機器７０が接続されていないため、消費電力「０Ｗ」であることを示す。また、表示画面では、「最新取得」ボタンが配置されている。「最新取得」ボタンは、最新の消費電力状況に更新するために押下されるボタンである。「最新取得」ボタンがユーザ操作により押下された場合には、取得部２３０によって各機器７０の消費電力量が取得され、取得された消費電力量が表示されることになる。
【００５８】
再び図４に戻って説明を続ける。対応情報記憶部２４０は、電子機器４０を識別する識別情報（電子機器ＩＤ）ごとに、機器７０に電力を供給する電力供給部３３０を識別する識別情報（タップＩＤ）を対応付けた第２の対応情報を記憶する。
【００５９】
ここで、図８を用いて、第２の対応情報について説明する。図８は、第２の対応情報の一例を示す図である。なお、図８に示した一例は、電子機器ＩＤに対応付いたタップＩＤと、さらにタップＩＤに紐ついたコンセントＩＤを示している。すなわち、電子機器ＩＤごとに、タップＩＤとコンセントＩＤとを対応付けた第２の対応情報の一例を示しているが、これに限ることはなく、第２の対応情報は、電子機器ＩＤごとに、少なくともタップＩＤが対応付けられていればよく、その他に対応付けられる情報は任意である。
【００６０】
図８の例では、第２の対応情報として、例えば電子機器ＩＤ「０００１」には、タップＩＤ「Ａ０１」が対応付いており、タップＡ０１には、コンセントＩＤ「＃１」、「＃２」、「＃３」、「＃４」の４つのコンセントが紐ついている。同様に、例えば電子機器ＩＤ「０００２」には、タップＩＤ「Ａ０２」が対応付いており、タップＡ０２には、コンセントＩＤ「＃１」、「＃２」、「＃３」、「＃４」の４つのコンセントが紐ついている。また、例えば電子機器ＩＤ「０００３」には、タップＩＤ「Ａ０３」が対応付いており、タップＡ０３には、コンセントＩＤ「＃１」、「＃２」、「＃３」、「＃４」の４つのコンセントが紐ついている。また、例えば電子機器ＩＤ「０００４」には、タップＩＤ「Ａ０４」が対応付いており、タップＡ０４には、コンセントＩＤ「＃１」、「＃２」、「＃３」、「＃４」の４つのコンセントが紐ついている。また、例えば電子機器ＩＤ「０００５」には、タップＩＤ「Ａ０５」が対応付いており、タップＡ０５には、コンセントＩＤ「＃１」、「＃２」、「＃３」、「＃４」の４つのコンセントが紐ついている。
【００６１】
このように、対応情報記憶部２４０は、電子機器４０を識別する識別情報（電子機器ＩＤ）ごとに、機器７０に電力を供給する電力供給部３３０を識別する識別情報（タップＩＤ）を対応付けた第２の対応情報を記憶する。なお、図８の例では、第２の対応情報は、例えば、電子機器ＩＤ「０００１」には、タップＩＤ「Ａ０１」が１つ対応付いているが、これに限ることはなく、電子機器ＩＤ「０００１」には、例えば、複数のタップＩＤ「Ａ０１」、「Ａ０２」が対応付いていてもよい。
【００６２】
なお、タップ３３０に接続される機器７０は１以上であり、１つのタップ３３０に対して、例えば、該タップ３３０に複数の機器７０が紐つくこともある。また、対応情報記憶部２４０は、第２の対応情報を記憶した、例えば、対応情報データベースを有するようにしてもよい。
【００６３】
なお、第２の対応情報は、特定のユーザが操作表示部２２０の表示画面を操作して入力することにより予め設定されている。特定のユーザとは、例えば、電源管理を行う管理者などである。また、第２の対応情報は、必要に応じてユーザが操作表示部２２０で設定を変更することができる。なお、第２の対応情報は、後述する対応情報変更部２７０の機能で任意に変更、更新することができる。
【００６４】
また、本実施形態では、対応情報データベースを有する場合、対応情報記憶部２４０が第２の対応情報を記憶した対応情報データベースを含む構成となっているが、これに限ることはなくネットワーク８０に接続された単独の対応情報データベースでもよいし、ネットワーク８０に接続された外部装置（例えばサーバ装置など）に含まれる構成であってもよい。
【００６５】
再び図４に戻って説明を続ける。判定部２５０は、図６を用いて説明した第１の対応情報（電子機器ＩＤ及び出力信号）と、図８を用いて説明した第２の対応情報（電子機器ＩＤ及びタップＩＤ）とに基づいて、電力供給部３３０から機器７０に対して電力を供給するか否かを判定する。すなわち、電力供給部３３０による機器７０に対する電力供給又は電力供給の遮断を判定する。
【００６６】
判定部２５０は、検出部４３０で検出したセンサ４２０の出力信号が予め設定された閾値以下であると判断した場合に、電力供給部（タップ）３３０による機器７０に対する電力供給を遮断すると判定し、検出部４３０で検出したセンサ４２０の出力信号が閾値を超えると判断した場合に、電力供給部３３０による機器７０に対する電力供給を行うと判定する。設定される閾値としては、例えば、０（ｌｕｘ）〜１０００（ｌｕｘ）であり、好ましくは１０（ｌｕｘ）〜３００（ｌｕｘ）であり、より好ましくは１０（ｌｕｘ）〜１００（ｌｕｘ）であり、さらに好ましくは１０（ｌｕｘ）〜３０（ｌｕｘ）であり、最も好ましくは１３（ｌｕｘ）である。目安として例えば、町の街灯下は５０〜１００（ｌｕｘ）程度、寝室全体は３０（ｌｕｘ）程度、ろうそくの明るさは１０（ｌｕｘ）程度であるので、最も好ましい閾値を、例えば１３（ｌｕｘ）と設定することで、例えば周囲が暗くなった、又は周囲が明るくなったと判断することができる。なお、設定される出力信号の閾値は任意である。
【００６７】
判定部２５０は、例えば、図６に示す電子機器ＩＤ「０００１」を参照して、図８に示す電子機器ＩＤ「０００１」に対応付いた電力供給部３３０がタップＩＤ「Ａ０１」であると判断する。すなわち、判定部２５０は、取得部２３０で取得した第１の対応情報に含まれる電子機器ＩＤ「０００１」に基づいて、制御する対象の電力供給部３３０がタップＩＤ「Ａ０１」であると判断する。次に、判定部２５０は、図６に示す取得部２３０で取得した第１の対応情報に含まれる電子機器ＩＤ「０００１」のセンサ４２０の出力信号「１３」（ｌｕｘ）に基づいて、タップＩＤ「Ａ０１」による機器７０に対する電力供給及び電力供給の遮断を判定する。
【００６８】
すなわち、電子機器ＩＤ「０００１」のセンサ４２０の出力信号「１３」（ｌｕｘ）が、予め設定された閾値以下であると判断した場合に、電力供給部３３０による機器７０に対する電力供給を遮断すると判定し、センサ４２０の出力信号「１３」（ｌｕｘ）が、予め設定された閾値を超えると判断した場合に、電力供給部３３０による機器７０に対する電力供給を行うと判定する。
【００６９】
さらに具体的には、上記で説明したように、最も好ましい閾値を、例えば、１３（ｌｕｘ）と設定した場合、電子機器ＩＤ「０００１」のセンサ４２０の出力信号が「１３」（ｌｕｘ）以下である（周囲が暗くなった）と判断した場合に、電力供給部３３０による機器７０に対する電力供給を遮断し、センサ４２０の出力信号が「１３」（ｌｕｘ）を超える（周囲が明るくなった）と判断した場合に、電力供給部３３０による機器７０に対する電力供給を行う。これにより、電子機器４０が設置されているフロアの照度情報に基づいて、電力供給部３３０による機器７０に対する電力の供給を自動で効率的に制御することができる。
【００７０】
なお、電子機器４０には複数のセンサ４２０を備えることができるので、例えば、後述する「人感センサ」をさらに備えた場合には、電子機器ＩＤ「０００１」のセンサ４２０の出力信号が「１３」（ｌｕｘ）以下（周囲が暗くなった）であり、かつ、人感センサの出力信号が予め設定された閾値以下（電子機器４０の周囲に人が居ない）であると判断した場合、電力供給部３３０による機器７０に対する電力供給を遮断すると判定する。また、電子機器ＩＤ「０００１」のセンサ４２０の出力信号が閾値以下（周囲が暗くなった）であるが、人感センサの出力信号が閾値以上（電子機器４０の周囲に人が居る）であると判断した場合に、電力供給部３３０による機器７０に対する電力供給を行うと判定する。
【００７１】
同様に、後述する音センサを備えた場合には、音センサの出力信号が予め設定された閾値以下（周囲が静かである）であると判断した場合、電力供給部３３０による機器７０に対する電力供給を遮断すると判定し、音センサの出力信号が予め設定された閾値以上（周囲が騒がしい）であると判断した場合、電力供給部３３０による機器７０に対する電力供給を行うと判定する。
【００７２】
また、後述する温度センサを備えた場合には、温度センサの出力信号が予め設定された閾値以下（部屋の温度が低い、例えば暖房が入っていない）であると判断した場合、電力供給部３３０による機器７０に対する電力供給を遮断すると判定し、温度センサの出力信号が予め設定された閾値以上（部屋の温度が高い、例えば暖房が入っている）であると判断した場合、電力供給部３３０による機器７０に対する電力供給を行うと判定する。
【００７３】
また、判定部２５０は、判定結果を後述する記憶部２８０に受け渡して記憶させる。
【００７４】
また、判定部２５０は、検出部４３０で検出したセンサ４２０の出力信号が予め設定された閾値以下になった時間が予め設定された時間以上であると判断した場合に、電力供給部３３０による機器７０に対する電力供給を遮断すると判定し、検出部４３０で検出したセンサ４２０の出力信号が閾値を超えた時間が予め設定された時間以上であると判断した場合に、電力供給部３３０による機器７０に対する電力供給を行うと判定する。設定される時間としては、例えば、１２０分であり、好ましくは６０分であり、より好ましくは３０分でありさらに好ましくは５分であり、最も好ましくは１分である。なお、設定される時間は任意である。
【００７５】
なお、電力制御システム１００が、後述する電子機器４０の判断部４４０が、既にセンサ４２０の出力信号が予め設定された閾値以下になった時間が予め設定された時間以上であるか否かを判断して、出力信号が予め設定された閾値以下になった時間が予め設定された時間以上であると判断した場合に、信号送信部４５０が、検出した出力信号と電子機器４０の識別情報とを対応付けた第１の対応情報を送信する、という構成の場合には、画像処理装置１の判定部２５０では、センサ４２０の出力信号が予め設定された閾値以下であるかを判定（確認）した後に、電力供給部３３０による機器７０に対する電力供給を遮断すると判定する。上記の構成では、電子機器４０でセンサの出力信号が予め設定された閾値以下であるか否かを判断するので、画像処理装置１の負荷を抑制することができる、という有利な効果を達成できる。
【００７６】
なお、判定部２５０では、第１の対応情報（電子機器ＩＤ及び出力信号）と、第２の対応情報（電子機器ＩＤ及びタップＩＤ）とに基づいて、電力供給部３３０から機器７０に対して電力を供給すると判定せずに、予め設定された時刻又は日時に電力供給部３３０による機器７０に対する電力供給を行うと判定することもできる。この構成では、例えば、電子機器４０が設置された場所が明るくなった場合でも、例えば、勤務開始時間又は営業日時に合わせて電力供給部３３０から機器７０に対して電力を供給することが可能となるので、電力供給部（タップ）３３０に接続された機器７０の電源を、さらに効率的に制御することができる、という有利な効果を達成できる。
【００７７】
ここで、図９を用いて、判定部２５０での判定結果について説明する。図９は、判定部での判定結果を説明する図である。図９で示した一例は、予め設定された閾値が、例えば、「１３」（ｌｕｘ）であると仮定した場合の判定結果である。上記で説明したように、図６及び図８に示した、第１の対応情報（電子機器ＩＤと出力信号）と、第２の対応情報（電子機器ＩＤに紐ついたタップＩＤ）とを参照して、電子機器ＩＤ「０００１」のセンサ４２０の出力信号「１３」（ｌｕｘ）は、上記で仮定した閾値以下であるので、タップＩＤ「Ａ０１」での機器７０への電力供給を遮断すると判定する。同様に、電子機器ＩＤ「０００２」のセンサ４２０の出力信号「４００」（ｌｕｘ）は、閾値を超えるので、タップＩＤ「Ａ０２」での機器７０への電力供給を行うと判定する。また、電子機器ＩＤ「０００３」のセンサ４２０の出力信号「０」（ｌｕｘ）は、閾値以下であるので、タップＩＤ「Ａ０３」での機器７０への電力供給を遮断すると判定する。また、電子機器ＩＤ「０００４」のセンサ４２０の出力信号「３０」（ｌｕｘ）は、閾値を超えるので、タップＩＤ「Ａ０４」での機器７０への電力供給を行うと判定する。また、電子機器ＩＤ「０００５」のセンサ４２０の出力信号「１０００」（ｌｕｘ）は、閾値を超えるので、タップＩＤ「Ａ０５」での機器７０への電力供給を行うと判定する。なお、上記で説明したように、判定部２５０は、センサ４２０の出力信号が予め設定された閾値以下になった時間が予め設定された時間以上であると判断した場合に、電力供給部（タップ）３３０による機器７０に対する電力供給を遮断すると判定し、センサ４２０の出力信号が閾値を超えた時間が予め設定された時間以上であると判断した場合に、電力供給部（タップ）３３０による機器７０に対する電力供給を行うと判定するようにしてもよい。
【００７８】
このように、判定部２５０は、第１の対応情報（電子機器ＩＤと出力信号）と、第２の対応情報（電子機器ＩＤに紐ついたタップＩＤ）とに基づいて、電力供給部３３０での機器７０への電力供給及び遮断を判定する。
【００７９】
なお、判定部２５０は、上記の図８に示したようにタップＩＤごとに対応付いた、それぞれのコンセントＩＤに接続される機器７０への電力の供給及び遮断を判定するようにすることもできる。この場合、判定部２５０は、例えば、図８の例において、各コンセントＩＤに紐つく機器７０の情報に基づいて、各コンセントＩＤに接続される機器７０への電力の供給及び遮断を判定する。具体的には、上記で説明したように、例えば、図６に示した第１の対応情報で電子機器ＩＤ「０００１」のセンサ４２０の出力信号「１３」（ｌｕｘ）は、上記で仮定した閾値以下であるので、図８に示した第２の対応情報でタップＩＤ「Ａ０１」での機器７０への電力供給を遮断すると判定する。すなわち、図５で示した表示画面でタップＡ０１が有するコンセント＃１、＃２、＃３が通電中であるので、タップＡ０１が有するコンセント＃１、＃２、＃３に対する電力供給を遮断すると判定する。
【００８０】
すなわち、判定部２５０は、電子機器ＩＤ「０００１」のセンサ４２０の出力信号「１３」（ｌｕｘ）は閾値以下であるので、電子機器ＩＤ「０００１」に対応付いたタップＩＤ「Ａ０１」の現在通電中であるコンセント＃１、＃２、＃３に対する電力供給を遮断すると判定する。
【００８１】
なお、通電中である３つのコンセント＃１、＃２、＃３ではなく、例えば、１つのコンセント＃１のみに対する電力供給を遮断すると判定してもよいし、例えば２つのコンセント＃１、＃２に対する電力供給を遮断すると判定してもよい。この場合は、上述した対応情報記憶部２４０は、タップＩＤごとに、コンセントＩＤと、「通電中」又は「遮断中」とを対応付けた電力供給対応情報をさらに有するようにし、判定部２５０は、電力供給対応情報に基づいて、コンセントＩＤのタップＩＤに接続される各々の機器７０への電力の供給及び遮断を個別に判定するようにする。
【００８２】
同様に、電子機器ＩＤ「０００５」のセンサ４２０の出力信号「１０００」（ｌｕｘ）は、閾値を超えるので、電子機器ＩＤ「０００５」に対応付いたタップＩＤ「Ａ０５」の現在遮断中であるコンセント＃１、＃２に対する電力供給を行うと判定する。以下、判定部２５０は、同様の判定を行う。
【００８３】
指示部２６０は、判定部２５０の判定結果に応じて、電源制御装置３０に対して電力供給部３３０による機器７０に対する電力供給又は電力供給の遮断を指示する命令を、通信親機５０を介して、送信する制御を行う。具体的には、指示部２６０は、判定部２５０によって、例えば「タップＡ０１」による機器７０に対する電力供給を行うと判定された場合、電力供給を行うことを指示する命令を、通信親機５０を介して電源制御装置３０へ送信する制御を行う。また、指示部２６０は、判定部２５０によって、例えば「タップＡ０１」による機器７０に対する電力供給の遮断を行うと判定された場合、電力供給の遮断を行うことを指示する命令を、通信親機５０を介して電源制御装置３０へ送信する制御を行う。
【００８４】
なお、上述の判定部２５０によって制御対象のタップ３３０による機器７０に対する電力供給及び電力供給の遮断を行うと判定された場合に、電源制御装置３０に対して制御対象のタップ３３０による機器７０に対する電力供給又は電力供給の遮断を行うことを指示する主体は指示部２６０に限られるものではなく、例えば判定部２５０であってもよいし、指示部２６０とは別に、当該制御対象のタップ３３０による機器７０に対する電力供給又は電力供給の遮断をおこなうことを指示する命令を、通信親機５０を介して電源制御装置３０へ送信する制御を行う機能が設けられてもよい。
【００８５】
対応情報変更部２７０は、第２の対応情報を変更して更新し、対応情報記憶部２４０に記憶させる。具体的には、図８を用いて説明した第２の対応情報で、例えば、電子機器ＩＤ「０００１」に対応付いたタップＩＤ「Ａ０１」を、例えば、タップＩＤ「Ａ０２」に変更して第２の対応情報を更新し、対応情報記憶部２４０に記憶させる。なお、電子機器ＩＤに対応付けられるタップＩＤは任意であり、電子機器ＩＤとタップＩＤの紐付け関係は任意に設定、変更することができる。また、第２の対応情報の変更操作は、操作表示部２２０で受け付けて行うことができる。例えば、操作表示部２２０で対応情報変更部２７０の機能を呼び出して、任意の電子機器ＩＤを入力し、次に、対応付ける任意のタップＩＤを入力することで、電子機器ＩＤに対応付けるタップＩＤを設定、変更することができる。
【００８６】
記憶部２８０は、第１の対応情報を記憶する。具体的には、上記の図６を用いて説明した電子機器４０が備えるセンサ４２０の出力信号と電子機器４０の識別情報とを対応付けた第１の対応情報を記憶する。
【００８７】
また、記憶部２８０は、図９を用いて説明した判定部２５０での判定結果を記憶する。
【００８８】
次に、電源制御装置３０の機能構成について説明する。図４に示すように、電源制御装置３０は、通信部３１０と、電源制御部３２０と、電力供給部３３０とを有する。通信部３１０は、ネットワーク８０に接続された画像処理装置１と通信する。より具体的には、通信部３１０は、画像処理装置１と通信し、各機器７０の消費電力量の情報や、通電状況、各機器７０の電源を制御するための情報、電力供給部３３０による機器７０に対する電力供給又は電力供給の遮断を制御するための情報等を送受信する。上述したように、各機器７０の消費電力量の情報や通電状況は、定期的に送信されたり、要求に応じて送信されたりする。
【００８９】
電源制御部３２０は、画像処理装置１の指示部２６０による指示に応じて、電力供給部３３０による機器７０に対する電力供給及び電力供給の遮断を制御する。具体的には、電源制御部３２０は、通信部３１０を介して電力供給部３３０による機器７０に対する電力供給又は電力供給の遮断に関する指示を受け付けた場合に、電力供給部３３０による機器７０に対する電力供給及び電力供給の遮断を制御する。
【００９０】
また、電源制御部３２０は、機器７０の電源の投入又は電源の遮断を制御することもできる。より具体的には、電源制御部３２０は、通信部３１０を介して電源の投入又は電源の遮断に関する指示を画像処理装置１から受け付けた場合に、対応するコンセントの電源の投入又は電源の遮断を制御する。電力供給部３３０は、接続される機器７０に電力を供給する。具体的には、電力供給部（タップ）３３０には、機器７０が接続されており、電力供給部３３０は、電源制御部３２０の制御の下で接続された機器７０に電力を供給する。また、電力供給部３３０は、電源制御部３２０の制御の下で接続された機器７０への電力の供給を遮断する。
【００９１】
次に、電子機器４０の機能構成について説明する。図４に示すように、電子機器４０は、通信部４１０と、センサ部４２０と、検出部４３０と、判断部４４０と、信号送信部４５０と、受付部４６０とを有する。以下、「センサ部」を「センサ」とも表記する。
【００９２】
通信部４１０は、ネットワーク８０に接続された画像処理装置１と通信する。具体的には、通信部４１０は、画像処理装置１と通信し、電子機器４０に設けられたセンサ４２０の出力信号と電子機器４０の識別情報とを対応付けた第１の対応情報を送信する。
【００９３】
センサ部４２０は、電子機器４０に設けられたセンサ（検知器）４２０である。電子機器４０が備えるセンサ４２０としては、例えば、周囲の明るさを検知することができる照度センサなどが例示できる。照度センサの種類として、フォトトランジスタを使う品種、フォトダイオードを使う品種、フォトダイオードにアンプ回路を追加した品種などが例示できる。その他に光を検知するセンサ４２０としては、光センサ、光電センサ、光電子増倍管、ＣＣＤイメージセンサ、ＣＭＯＳイメージセンサ、フォトサイリスタなどを例示することができる。
【００９４】
また、本実施形態で適用されるセンサ４２０として、光以外には、音、温度、人間などを検知するセンサ４２０などが例示できる。音を検知するセンサ４２０として、例えばマイクロホン、超音波センサなどが例示できる。マイクロホンとしては、その変換方式の違いにより動電型、静電型、圧電型が例示できる。また、温度を検知するセンサ４２０として、赤外線を受けたセンサ素子の温度変化を利用したサーモパイルやサーミスタなどの熱型、光量子を受けたセンサ素子の変化を利用したフォトダイオードやフォトトランジスタなどの量子型などが例示できる。また、人間を検知する人感センサとして、焦電センサ、赤外線センサ、超音波センサ、可視光センサなどが例示できる。
【００９５】
本実施形態では、電子機器４０が備えるセンサ４２０として、例えば「照度センサ」を一例に挙げて説明するが、これに限ることはなく、上記の照度センサ、人感センサ、音センサ、温度センサなどを、それぞれ単独で、又は複数の組合せで、又はすべてのセンサ４２０を備えることができる。
【００９６】
検出部４３０は、センサ４２０の出力信号を検出する。センサ４２０の出力信号としては、例えば、電気信号（アナログ信号やデジタル信号）、電流、電圧などを例示することができるが、本実施形態では、これらを変換した、例えば、照度「ｌｕｘ」を出力信号（検出値）の一例として説明する。
【００９７】
また、検出部４３０は、予め設定された間隔でセンサ４２０の出力信号を検出する。なお、予め設定された間隔は任意に設定できる。
【００９８】
判断部４４０は、検出部４３０で検出したセンサ４２０の出力信号が予め設定された閾値以下になった時間が予め設定された時間以上であるか否かを判断する。設定される閾値としては、例えば、０（ｌｕｘ）〜１０００（ｌｕｘ）であり、好ましくは１０（ｌｕｘ）〜３００（ｌｕｘ）であり、より好ましくは１０（ｌｕｘ）〜１００（ｌｕｘ）であり、さらに好ましくは１０（ｌｕｘ）〜３０（ｌｕｘ）であり、最も好ましくは１３（ｌｕｘ）である。目安として例えば、町の街灯下は５０〜１００（ｌｕｘ）程度、寝室全体は３０（ｌｕｘ）程度、ろうそくの明るさは１０（ｌｕｘ）程度であるので、閾値を１３（ｌｕｘ）と設定することで周囲が暗くなったと判断することができる。なお、設定される出力信号の閾値は任意である。また、設定される時間としては、例えば、１２０分であり、好ましくは６０分であり、より好ましくは３０分でありさらに好ましくは５分であり、最も好ましくは１分である。なお、設定される時間は任意である。
【００９９】
信号送信部４５０は、検出部４３０で検出したセンサ４２０の出力信号と電子機器４０の識別情報とを対応付けた第１の対応情報を送信する。また、信号送信部４５０は、予め設定された間隔で検出部４３０で検出した出力信号と電子機器４０の識別情報とを対応付けた第１の対応情報を画像処理装置１に対して送信する。なお、予め設定された間隔は任意に設定できる。
【０１００】
また、信号送信部４５０は、判断部４４０で検出部４３０で検出した出力信号が予め設定された閾値以下になった時間が予め設定された時間以上であると判断した場合に、検出部４３０で検出した出力信号と電子機器４０の識別情報とを対応付けた第１の対応情報を送信する。なお、設定される閾値、設定される時間は、上記の画像処理装置１の判定部２５０で説明した通りである。
【０１０１】
受付部４６０は、ユーザ操作の入力を受け付ける。例えば、受付部４６０は、電子機器４０の各種設定に関するユーザ操作を受け付ける。受付部４６０は、例えば液晶表示装置（液晶表示パネル）などであり、表示画面をユーザが押下することで各種設定を入力することができる。受付部４６０は、タッチパネル機能を搭載した液晶表示装置（ＬＣＤ：Ｌｉｑｕｉｄ  Ｃｒｙｓｔａｌ  Ｄｉｓｐｌａｙ）により構成されるものとするが、これに限られるものではない。例えば、受付部４６０は、タッチパネル機能が搭載された有機ＥＬ（Ｅｌｅｃｔｒｏ  Ｌｕｍｉｎｅｓｃｅｎｃｅ）表示装置により構成されてもよい。さらに、これに加えて又はこれに代えて、ハードウェアキー等の操作部やランプ等の表示部を設けることもできる。
【０１０２】
次に、図１０を用いて、上述の電力管理アプリが搭載された画像処理装置１の処理動作について説明する。図１０は、電力管理アプリが搭載された画像処理装置の処理動作の一例を示すフローチャート図である。
【０１０３】
まず、画像処理装置１は、操作表示部２２０を介して電子機器４０の識別情報ごとに、機器７０に電力を供給する電源制御装置３０の電力供給部３３０を識別する識別情報を対応付けた第２の対応情報を受け付けて（ステップＳ１）対応情報記憶部２４０に記憶させる（ステップＳ２）。次に、画像処理装置１は、電子機器４０に設けられたセンサ４２０の出力信号と電子機器４０の識別情報とを対応付けた第１の対応情報を取得する（ステップＳ３）。次に、画像処理装置１は、取得したセンサ４２０の出力信号が予め設定された閾値以下であるか否かを判断する（ステップＳ４）。閾値以下であった場合（ステップＳ４：Ｙｅｓ）、画像処理装置１は、第１の対応情報と第２の対応情報とに基づいて、制御対象の電力供給部（タップ）３３０から機器７０に対して電力供給の遮断を行うと判定する（ステップＳ５）。次に、画像処理装置１は、電源制御装置３０に対して制御対象の電力供給部３３０による機器７０に対する電力供給の遮断を指示し（ステップＳ６）、処理を終了する。
【０１０４】
ステップＳ４に戻り、閾値以下でない場合（ステップＳ４：Ｎｏ）、画像処理装置１は、第１の対応情報と第２の対応情報とに基づいて、制御対象の電力供給部３３０から機器７０に対して電力供給を行うと判定する（ステップＳ７）。次に、画像処理装置１は、電源制御装置３０に対して制御対象の電力供給部３３０による機器７０に対する電力供給を行うことを指示し（ステップＳ８）、処理を終了する。
【０１０５】
次に、図１１を用いて、電力制御システム１００の処理動作について説明する。図１１は、電力制御システムの処理動作の一例について説明するシーケンス図である。
【０１０６】
まず、画像処理装置１は、操作表示部２２０を介して電子機器４０の識別情報ごとに、機器７０に電力を供給する電源制御装置３０の電力供給部３３０を識別する識別情報を対応付けた第２の対応情報を受け付けて（ステップＳ１１）、対応情報記憶部２４０に記憶させる（ステップＳ１２）。
【０１０７】
次に、電子機器４０は、自身に備えるセンサ４２０の出力信号を検出部４３０で検出する（ステップＳ１３）。そして、電子機器４０は、検出部４３０で検出したセンサ４２０の出力信号と電子機器４０の識別情報とを対応付けた第１の対応情報を送信する（ステップＳ１４）。
【０１０８】
次に、画像処理装置１は、電子機器４０から電子機器４０に設けられたセンサ４２０の出力信号と電子機器４０の識別情報とを対応付けた第１の対応情報を受信（ステップＳ１５）して取得する。次に、画像処理装置１は、第１の対応情報（電子機器ＩＤ及び出力信号）と、第２の対応情報（電子機器ＩＤ及びタップＩＤ）とに基づいて、電力供給部３３０から機器７０に対して電力を供給するか否かを判定する。すなわち、画像処理装置１は、電力供給部３３０による機器７０に対する電力供給又は電力供給の遮断を判定する（ステップＳ１６）。次に、画像処理装置１は、判定結果に応じて、電源制御装置３０に対して電力供給部３３０による機器７０に対する電力供給又は電力供給の遮断を指示する命令を通信親機５０に対して送信する（ステップＳ１７）。
【０１０９】
通信親機５０は、画像処理装置１から電力供給又は電力供給の遮断を指示する命令を受信し、電源制御装置３０に対して電力供給部３３０による機器７０に対する電力供給又は電力供給の遮断を指示する（ステップＳ１８）。
【０１１０】
電源制御装置３０は、電力供給部３３０による機器７０に対する電力供給又は電力供給の遮断を指示する命令を受信し（ステップＳ１９）、指示に応じて、電力供給部３３０による機器７０に対する電力供給及び電力供給の遮断を実行する（ステップＳ２０）。
【０１１１】
次に、図１２を用いて、電力制御システム１００の他の処理動作について説明する。図１２は、電力制御システムの他の処理動作の一例について説明するシーケンス図である。なお、図１１を用いて説明したものと同様のステップについては、同様の符号を付し説明を省略する。具体的には、図１２に示すステップＳ１１〜ステップＳ２０の内容は、図１１に示すステップＳ１１〜ステップＳ２０の内容と同様である。よって、ステップＳ３１の処理動作だけが異なる。
【０１１２】
電子機器４０は、自身に備えるセンサ４２０の出力信号を検出部４３０で検出する（ステップＳ１３）。次に、電子機器４０は、検出部４３０で検出したセンサ４２０の出力信号が予め設定された閾値以下になった時間が予め設定された時間以上であるか否かを判断し（ステップＳ３１）、予め設定された時間以上であると判断した場合に、検出部４３０で検出したセンサ４２０の出力信号と電子機器４０の識別情報とを対応付けた第１の対応情報を送信する（ステップＳ１４）。以下、図１１と同様の処理を行う。
【０１１３】
以上に説明したように、本実施形態では、電力管理アプリが実行されると、電子機器４０に設けられたセンサ４２０の出力信号と電子機器４０の識別情報とを対応付けた第１の対応情報を取得し、第１の対応情報（電子機器ＩＤ及び出力信号）と、予め設定された第２の対応情報（電子機器ＩＤ及びタップＩＤ）とに基づいて、電力供給部（タップ）３３０から機器７０に対して電力を供給するか否かを判定する。そして、判定結果に応じて、電源制御装置３０に対して電力供給部３３０による機器７０に対する電力供給又は電力供給の遮断を指示し、指示に応じて、電力供給部３３０による機器７０に対する電力供給及び電力供給の遮断を実行する。これにより、電力供給部（タップ）３３０に接続された機器７０の電源を効率的に制御することができる、という有利な効果を達成できる。
【０１１４】
（第２の実施形態）
次に、第２の実施形態について説明する。第２の実施形態において電力制御システムは、他の画像処理装置（情報処理装置）と他の電源制御装置と、をさらに備えた構成である。以下、具体的に説明する。
【０１１５】
図１３は、第２の実施形態に係る電力制御システムのシステム構成の一例を示す図である。第２の実施形態では、第１の実施形態と同様の構成については同一の符号を付し、上述の第１の実施形態と重複する部分については適宜に説明を省略する。
【０１１６】
図１３に示すように、電力制御システム１００ａは、画像処理装置１ａ、１ｂと、電源制御装置３０ａ、３０ｂと、電子機器４０と、通信親機５０と、電気機器７０ａ〜電気機器７０ｈとを有する。以下の説明では、画像処理装置１ａ、１ｂを区別する必要が無い場合は、単に「画像処理装置１」と表記する。また、電源制御装置３０ａ、３０ｂを区別する必要が無い場合は、単に「電源制御装置３０」と表記する。また、電気機器７０ａ〜電気機器７０ｈを区別する必要が無い場合は、単に「機器７０」と表記する。
【０１１７】
また、電源制御装置３０ａ、３０ｂは、通信子機６０ａ、６０ｂとタップ３３０ａ、３３０ｂとを備える。以下の説明では、通信子機６０ａ、６０ｂを区別する必要が無い場合は、単に「通信子機６０」と表記する。また、タップ３３０ａ、３３０ｂを区別する必要が無い場合は、単に「タップ３３０」と表記する。
【０１１８】
この例では、画像処理装置１ａ、１ｂは、ＬＡＮ等のネットワーク８０を介して、電子機器４０、通信親機５０、電源制御装置３０ａ、３０ｂおよび機器７０の各々と接続される。また、通信親機５０は親機であり、電源制御装置３０ａ、３０ｂが備える子機である通信子機６０ａ、６０ｂと通信する。通信親機５０は、複数の電源制御装置３０ａ、３０ｂの通信子機６０ａ、６０ｂと通信することができる。
【０１１９】
また、上述したように、画像処理装置１ａ、１ｂは、電力管理アプリを搭載したＭＦＰであり、該電力管理アプリの実行により、電源制御装置３０ａ、３０ｂを介して、各機器７０の電源を制御する。電子機器４０は、センサ４２０を搭載した、例えば、画像処理装置などで構成され得る。
【０１２０】
なお、図１３では、画像処理装置１及び電源制御装置３０の台数が２台である場合を例示しているが、これに限らず、画像処理装置１及び電源制御装置３０の台数は任意である。また、電子機器４０及び通信親機５０の台数が１台である場合を例示しているが、これに限らず、電子機器４０及通信親機５０の台数は任意である。また、電源制御装置３０のタップ３３０に接続される機器７０の台数が各々４台である場合を例示しているが、これに限らず、機器７０の台数は任意である。
【０１２１】
次に、図１４を用いて、本実施形態の画像処理装置１ａ、１ｂ、電源制御装置３０ａ、３０ｂ及び電子機器４０の機能について説明する。図１４は、第２の実施形態に係る画像処理装置、電源制御装置及び電子機器の機能構成の一例を示すブロック図である。第２の実施形態では、第１の実施形態と同様の構成については同一の符号を付し、上述の第１の実施形態と重複する部分については適宜に説明を省略する。
【０１２２】
画像処理装置１ａの判定部２５０ａは、第１の実施形態で図６を用いて説明した第１の対応情報（電子機器ＩＤ及び出力信号）と、図８を用いて説明した第２の対応情報（電子機器ＩＤ及びタップＩＤ）とに基づいて、電力供給部（タップ）３３０ａから機器７０に対して電力を供給するか否かを判定する。すなわち、電力供給部３３０ａによる機器７０に対する電力供給又は電力供給の遮断を判定する。その後、判定部２５０ａは、判定結果と第２の対応情報とを他の画像処理装置１ｂに対して送信する。
【０１２３】
画像処理装置１ｂは、画像処理装置１ａから判定結果と第２の対応情報とを受け付けて、画像処理装置１ａの判定結果と、第２の対応情報に含まれる電子機器４０の識別情報とに基づいて、機器７０に電力を供給する他の電源制御装置３０ｂに対して電力供給部（タップ）３３０ｂによる機器７０に対する電力供給又は電力供給の遮断を指示する。
【０１２４】
具体的には、画像処理装置１ａの判定部２５０ａが第１の対応情報（電子機器ＩＤと出力信号）に含まれるセンサ４２０の出力信号が予め設定された閾値以下であると判断した場合に、電力供給部３３０ａによる機器７０に対する電力供給を遮断すると判定し、出力信号が閾値を超えると判断した場合に、電力供給部３３０ａによる機器７０に対する電力供給を行うと判定する。画像処理装置１ａは、この判定結果と第２の対応情報（センサ４２０を備えた電子機器ＩＤ及びタップＩＤ）とを画像処理装置１ｂに対して送信する。
【０１２５】
画像処理装置１ｂは、画像処理装置１ａから判定結果と第２の対応情報とを受け付ける。そして、画像処理装置１ｂは、例えば、電子機器ＩＤに対応付いたタップＩＤによる機器７０に対する電力供給を遮断するとした判定結果の場合、例えば、電子機器ＩＤの電子機器４０の周囲が暗くなって人が存在しないと判断して、他の電源制御装置３０ｂに対して電力供給部３３０ｂによる機器７０に対する電力供給の遮断を指示する。電源制御装置３０ｂは、指示に応じて、電力供給部３３０ｂによる機器７０に対する電力供給の遮断を実行する。
【０１２６】
次に、図１５を用いて、電力制御システム１００ａの処理動作について説明する。図１５は、電力制御システムの処理動作の一例について説明するシーケンス図である。なお、図１１を用いて説明したものと同様のステップについては、同様の符号を付し説明を省略する。具体的には、図１５に示すステップＳ１１〜ステップＳ２０の内容は、図１１に示すステップＳ１１〜ステップＳ２０の内容と同様である。よって、ステップＳ４１〜Ｓ４９の処理動作だけが異なる。
【０１２７】
画像処理装置１ｂは、操作表示部２２０ｂを介して電子機器４０の識別情報ごとに、機器７０に電力を供給する電源制御装置３０ｂの電力供給部３３０ｂを識別する識別情報を対応付けた第２の対応情報を受け付けて（ステップＳ４１）対応情報記憶部２４０ｂに記憶させる（ステップＳ４２）。
【０１２８】
画像処理装置１ａは、電力供給部３３０ａによる機器７０に対する電力供給又は電力供給の遮断を判定する（ステップＳ１６）。次に、画像処理装置１ａは、画像処理装置１ｂに対して判定結果と第２の対応情報とを送信する（ステップＳ４３）。
【０１２９】
画像処理装置１ｂは、画像処理装置１ａから判定結果と第２の対応情報とを受け付けて（ステップＳ４４）、記憶部２８０ｂに記憶させる（ステップＳ４５）。次に、画像処理装置１ｂは、画像処理装置１ａの判定結果と、第２の対応情報に含まれる電子機器４０の識別情報とに基づいて、機器７０に電力を供給する他の電源制御装置３０ｂに対して電力供給部３３０ｂによる機器７０に対する電力供給又は電力供給の遮断を指示する命令を通信親機５０に対して送信する（ステップＳ４６）。
【０１３０】
通信親機５０は、画像処理装置１ｂから電力供給又は電力供給の遮断を指示する命令を受信し、電源制御装置３０ｂに対して電力供給部３３０ｂによる機器７０に対する電力供給又は電力供給の遮断の指示を送信する（ステップＳ４７）。
【０１３１】
電源制御装置３０ｂは、電力供給部３３０ｂによる機器７０に対する電力供給又は電力供給の遮断を指示する命令を受信し（ステップＳ４８）、指示に応じて、電力供給部３３０ｂによる機器７０に対する電力供給及び電力供給の遮断を実行する（ステップＳ４９）。
【０１３２】
以上に説明したように、本実施形態では、電力管理アプリが実行されると、画像処理装置１ａは、電子機器４０に設けられたセンサ４２０の出力信号と電子機器４０の識別情報とを対応付けた第１の対応情報を取得し、第１の対応情報（電子機器ＩＤ及び出力信号）と、予め設定された第２の対応情報（電子機器ＩＤ及びタップＩＤ）とに基づいて、電力供給部（タップ）３３０から機器７０に対して電力を供給するか否かを判定する。そして、判定結果と第２の対応情報とを他の画像処理装置１ｂに対して送信する。他の画像処理装置１ｂは、画像処理装置１ａの判定結果と、第２の対応情報に含まれる電子機器４０の識別情報とに基づいて、機器７０に電力を供給する他の電源制御装置３０ｂに対して電力供給部３３０ｂによる機器７０に対する電力供給又は電力供給の遮断を指示し、電源制御装置３０ｂは指示に応じて、電力供給部３３０ｂによる機器７０に対する電力供給及び電力供給の遮断を実行する。これにより、画像処理装置１ａが取得した電子機器４０のセンサ４２０の出力信号に基づいて、判定した結果を画像処理装置１ｂと共有することができるため、例えば、他の場所にある電源制御装置３０ｂから電力供給部３３０ｂによる機器７０に対する電力の供給を制御することが可能となる。本実施形態によれば、電力供給部（タップ）３３０に接続された機器７０の電源を効率的に制御することができる、という有利な効果を達成できる。
【０１３３】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施の形態に示される全構成要素から幾つかの構成要素を削除してもよい。さらに、異なる実施形態にわたる構成要素を適宜組み合わせてもよい。
【０１３４】
例えば、上述の電力管理アプリは、ネットワーク８０に接続された他の画像処理装置１、外部装置（例えばサーバ装置）に搭載される形態であってもよい。また、上述の対応情報記憶部２４０、判定部２５０および指示部２６０は、画像処理装置１、電源制御装置３０および電子機器４０の各々に分散されて搭載される形態であってもよい。また、例えば上述の対応情報記憶部２４０、判定部２５０および指示部２６０は、画像処理装置１、電源制御装置３０、電子機器４０、及び、１以上の外部装置（例えばサーバ装置）の各々に分散されて搭載される形態であってもよい。
【０１３５】
また、上述の各実施形態では、本体１０と操作部２０は、別々のオペレーティングシステムで互いに独立して動作しているが、これに限らず、例えば本体１０と操作部２０が同じオペレーティングシステムで動作する形態であってもよい。
【０１３６】
また、上述した各実施形態の電力制御システム１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【０１３７】
なお、第１の実施形態の画像処理装置１と、電源制御装置３０と、電子機器４０とが接続されたシステム構成、及び第２の実施形態の画像処理装置１ａ、１ｂと、電源制御装置３０ａ、３０ｂと、電子機器４０とが接続されたシステム構成は一例であり、用途や目的に応じて様々なシステム構成例があることは言うまでもない。
【符号の説明】
【０１３８】
１、１ａ、１ｂ  画像処理装置（ＭＦＰ）
１０、１０ａ、１０ｂ  本体
１１、２１  ＣＰＵ
１２、２２  ＲＯＭ
１３、２３  ＲＡＭ
１４  ＨＤＤ
１５、２５  通信Ｉ／Ｆ
１６、２６  接続Ｉ／Ｆ
１７  エンジン部
２０、２０ａ、２０ｂ  操作部
２４  フラッシュメモリ
２７  操作パネル（表示画面）
３０、３０ａ、３０ｂ  電源制御装置
４０  電子機器
５０  通信親機
６０、６０ａ、６０ｂ  通信子機
７０ａ〜７０ｈ  電気機器
８０  ネットワーク
１００、１００ａ  電力制御システム
１０１、２０１  アプリ層
１０２、２０２  サービス層
１０３、２０３  ＯＳ層
２１０、２１０ａ、２１０ｂ  通信部
２２０、２２０ａ、２２０ｂ  操作表示部
２３０、２３０ａ、２３０ｂ  取得部
２４０、２４０ａ、２４０ｂ  対応情報記憶部
２５０、２５０ａ、２５０ｂ  判定部
２６０、２６０ａ、２６０ｂ  指示部
２７０、２７０ａ、２７０ｂ  対応情報変更部
２８０、２８０ａ、２８０ｂ  記憶部
３００  通信路
３１０、３１０ａ、３１０ｂ  通信部
３２０、３２０ａ、３２０ｂ  電源制御部
３３０、３３０ａ、３３０ｂ  電力供給部（タップ）
４１０  通信部
４２０  センサ部（センサ、検知器）
４３０  検出部
４４０  判断部
４５０  信号送信部
４６０  受付部
【先行技術文献】
【特許文献】
【０１３９】
【特許文献１】特開２０１３−９８８２２号公報
【図１】
2016115273.tif 000003
【図２】
2016115273.tif 000004
【図３】
2016115273.tif 000005
【図４】
2016115273.tif 000006
【図５】
2016115273.tif 000007
【図６】
2016115273.tif 000008
【図７】
2016115273.tif 000009
【図８】
2016115273.tif 000010
【図９】
2016115273.tif 000011
【図１０】
2016115273.tif 000012
【図１１】
2016115273.tif 000013
【図１２】
2016115273.tif 000014
【図１３】
2016115273.tif 000015
【図１４】
2016115273.tif 000016
【図１５】
2016115273.tif 000017